(57)【要約】【課題】外観及びメンテナンスの作業性の悪化を抑制することが可能なハンドリングユニットを提供する。【解決手段】ハンドリングユニット４０は、太陽熱により温められた空気を導入する吸気口４２が筐体４０の一端側に形成されると共に、導入した空気を排気する排気口４３が筐体４０の他端側に形成され、当該吸気口４２と当該排気口４３との間にファン４４を収納したものであって、筐体４０の底面４０ａと兼用される底壁部Ｙａと、底壁部Ｙａに立設され一部に開口Ｙｂ１を有した内壁部Ｙｂと、底壁部Ｙａ及び内壁部Ｙｂの少なくとも一方に取り付けられた側壁部Ｙｃと、内壁部Ｙａの開口と吹き出し口とが一致した状態で取り付けられるファン４４と、ファン４４を駆動すると共に軸部が前記側壁部Ｙｃを貫通した状態で側壁部Ｙｃに取り付けられたファンモータ４５と、を備える。【選択図】図４
2014238228.tif 000002
【特許請求の範囲】
【請求項１】
太陽熱により温められた空気を導入する吸気口が筐体の一端側に形成されると共に、導入した空気を排気する排気口が筐体の他端側に形成され、当該吸気口と当該排気口との間に設けられたファンを筐体内に収納したハンドリングユニットであって、
筐体の底面と兼用される底壁部と、
前記底壁部に立設され一部に開口を有した内壁部と、
前記底壁部及び内壁部の少なくとも一方に取り付けられた側壁部と、
前記内壁部の開口と吹き出し口とが一致した状態で取り付けられるファンと、
前記ファンを駆動すると共に軸部が前記側壁部を貫通した状態で前記側壁部に取り付けられたファンモータと、
を備えることを特徴とするハンドリングユニット。
【請求項２】
前記側壁部は、筐体の側壁と兼用とされ、
ファンモータは筐体外に露出している
ことを特徴とする請求項１に記載のハンドリングユニット。
【発明の詳細な説明】
【技術分野】
【０００１】
本発明は、ハンドリングユニットに関し、特にメンテナンスを容易化したハンドリングユニットに関する。
【背景技術】
【０００２】
従来、太陽熱により温められた空気によって暖房等を行うソーラーシステムハウスが提案されている。このような、ソーラーシステムハウスでは、屋根に太陽熱集熱部を設け、この太陽熱集熱部に集熱用のダクトを連通させ、さらに集熱用のダクトにハンドリングユニットを接続している。ハンドリングユニットは、太陽熱集熱部により温められて集熱用のダクトを流れてきた暖かい空気を室内に取り込んだり、室内に取り込まず排出したり切替を行うものである。また、ハンドリングユニットを屋根の上に設置する場合には、ハンドリングユニットを建築材により覆って雨仕舞いを行うことが通常である（例えば特許文献１参照）。
【先行技術文献】
【特許文献】
【０００３】
【特許文献１】特開２００５−１８８８７３号公報
【発明の概要】
【発明が解決しようとする課題】
【０００４】
ここで、特許文献１に記載のようなハンドリングユニットは、空気の流れをつくるためにファンを備えている。しかし、このファンを駆動するファンモータについてメンテナンスを行う場合、ファンを横方向に引き抜く必要があり、スペース面で問題がある。より詳細に説明すると、ファンモータは回転軸を水平とする必要がある。このため、ハンドリングユニットでは、ファンモータの軸が貫通するユニット筐体の側壁を蓋部とし、ファンモータと蓋部を一体化して筐体の一面でシールを完成するようにしている。このような構造上、ファンモータについてメンテナンスを行う場合、ファンを横方向に引き抜かなければならない。
【０００５】
しかし、ファンモータについてメンテナンスを行う場合、ファンを横方向に引き抜く関係上、作業スペースを確保するためにハンドリングユニットの２倍以上などのスペースを確保した状態でハンドリングユニットを建築材で覆う必要がある。このため、ハンドリングユニットを屋根の上に設置する場合には、比較的大きな建築材が屋根上に突出することとなり、外観上好ましいとはいえなかった。そこで、外観上の問題から確保するスペースを狭くしてしまうとメンテナンスの作業性が悪化してしまう。
【０００６】
本発明はこのような従来の課題を解決するためになされたものであり、その目的とするところは、外観及びメンテナンスの作業性の悪化を抑制することが可能なハンドリングユニットを提供することにある。
【課題を解決するための手段】
【０００７】
本発明のハンドリングユニットは、太陽熱により温められた空気を導入する吸気口が筐体の一端側に形成されると共に、導入した空気を排気する排気口が筐体の他端側に形成され、当該吸気口と当該排気口との間に設けられたファンを筐体内に収納したものであって、筐体の底面と兼用される底壁部と、底壁部に立設され一部に開口を有した内壁部と、底壁部及び内壁部の少なくとも一方に取り付けられた側壁部と、内壁部の開口と吹き出し口とが一致した状態で取り付けられるファンと、ファンを駆動すると共に軸部が側壁部を貫通した状態で側壁部に取り付けられたファンモータと、を備えることを特徴とする。
【０００８】
本発明のハンドリングユニットによれば、筐体の底面と兼用される底壁部と、底壁部に立設され一部に開口を有した内壁部と、底壁部及び内壁部の少なくとも一方に取り付けられた側壁部とを有し、これらに対してファン及びファンモータが取り付けられているため、これらの一体物を底壁部から下側に向けて引き抜くことが可能となる。これにより、ファンを横方向に引き抜く必要が無くなり、作業スペースを確保するためにハンドリングユニットの２倍以上などのスペースを有した状態でハンドリングユニットを建築材で覆う必要が無くなる。よって、比較的大きな建築材が屋根上に突出することを防止することができ、外観の極端な悪化を防止することができる。また、一体物を底壁部から下側に向けて引き抜くことにより、下側に作業スペースを設ければよく作業スペースが狭くなりメンテナンスの作業性が悪化してしまうことを抑制することができる。従って、外観及びメンテナンスの作業性の悪化を抑制することができる。
【０００９】
また、このハンドリングユニットにおいて、側壁部は、筐体の側壁と兼用とされ、ファンモータは筐体外に露出していることが好ましい。
【００１０】
このハンドリングユニットによれば、側壁部は筐体の側壁と兼用され、ファンモータは筐体外に露出しているため、太陽光集熱部により温められた空気が直接ファンモータに接することがなく、且つ外部空気によりファンモータの冷却に寄与することができる。
【発明の効果】
【００１１】
本発明のハンドリングユニットによれば、外観及びメンテナンスの作業性の悪化を抑制することができる。
【図面の簡単な説明】
【００１２】
【図１】本発明の実施形態に係るハンドリングユニットを含むソーラーシステムハウスを示す概略図である。
【図２】図１に示したハンドリックユニットを示す外観斜視図である。
【図３】図２に示したハンドリングユニットのＡ−Ａ断面図である。
【図４】実施形態に係るハンドリングユニットのファンの周辺構成図であり、ファン等を下方向に引き出した状態を示している。
【図５】実施形態に係るハンドリングユニットのファンの周辺構成図であり、斜視図を示している。
【発明を実施するための形態】
【００１３】
以下、本発明の好適な実施形態を図面に基づいて説明する。図１は、本発明の実施形態に係るハンドリングユニットを含むソーラーシステムハウスを示す概略図である。図１に示すソーラーシステムハウス１は、太陽熱により空気を暖める太陽熱集熱部１０と、太陽熱集熱部１０の裏面側において空気が通る流路を形成すると共に太陽熱集熱部１０の熱によって空気を加熱する集熱用ダクト２０とを備えている。なお、太陽熱集熱部１０と集熱用ダクト２０とは図面奥行き方向に連続して設けられている。
【００１４】
さらに、ソーラーシステムハウス１は、集熱用ダクト２０により温められた空気を集約する棟ダクト３０と、暖められた空気を室内に供給したり室内に取り込まず排出したり等を切り替えるハンドリングユニット４０とを備えている。なお、太陽熱集熱部１０及び集熱用ダクト２０と同様に棟ダクト３０についても図面奥行き方向に連続して設けられている。また、図１において図示を省略するが、ハンドリングユニット４０は建築材にて雨仕舞いされる。
【００１５】
図２は、図１に示したハンドリックユニットを示す外観斜視図であり、図３は、図２に示したハンドリングユニットのＡ−Ａ断面図である。
【００１６】
図２及び図３に示すハンドリングユニット４０は、太陽熱集熱部１０によって暖められた空気を導入して室内に取り込んだり、室内に取り込まず排出したり切替を行うものである。このようなハンドリングユニット４０は、例えば図２に示すように箱型、具体的には扁平な直方体形状に形成された筐体４１を有し、太陽熱により温められた空気を導入する吸気口４２が筐体４１の一端側に形成されると共に、導入した空気を排気する排気口４３が筐体４１の他端側に形成されている。また、ハンドリングユニット４０は、吸気口４２と排気口４３との間に送風能力を得るためのファン４４と、ファン４４を駆動するためのファンモータ４５とが設けられている。さらに、図３に示すように、ハンドリングユニット４０は、太陽熱により温められた空気を室内に供給する室内口４６が筐体４１の下面壁４１ａに形成されている。
【００１７】
また、図２に示すように、排気口４３にはダクト取付用金具４７が取り付けられている。この金具４７には、筐体４１の外部に露出するフランジ部４７ａが形成され、このフランジ部４７ａには、ダクトを取り付けるためのネジ穴４７ｂが形成されている。吸気口４２及び室内口４６にも排気口４３と同様にダクト取付金具４７が設置されている。
【００１８】
さらに、ハンドリングユニット４０には、ファン４４のやや上流側に熱交換コイル４８が設けられている。この熱交換コイル４８は筐体４１の側面に露出する熱媒導入管４８ａと熱媒排出管４８ｂとを有している。熱媒導入管４８ａは熱媒を導入する配管であり、熱交換コイル４８の熱媒導入管４８ａから導入した熱媒は太陽熱集熱部１０により温められた空気によって加熱される。熱媒排出管４８ｂは、加熱により得られた熱媒をタンク等の貯湯槽に供給するための配管である。熱媒排出管４８ｂから排出された熱媒はタンク等の貯湯槽に供給され、貯湯槽内の水と熱交換される。これにより、貯湯槽内の水が加熱されてお湯として家庭内に供給されることとなる。
【００１９】
さらに、ハンドリングユニット４０は、ダンパー４９及びダンパーモータ４９ａを備えている。ダンパー４９は排気口４３と室内口４６とを開放状態及び閉塞状態とで切り替えるものである。ダンパーモータ４９ａは、ダンパー４０を駆動するためのものである。
【００２０】
また、ハンドリングユニット４０は、筐体４１の角部にフランジ５０を備えている。このフランジ５０にはボルト挿通口が形成されている。このため、ハンドリングユニット４０は、屋根の上に設けられる建築材にフランジ５０を介してボルト固定されることとなる。なお、ハンドリングユニット４０は、必ずしもボルト固定されるとは限らず、可能であればボルト固定が無い状態で屋根の上に載置さていてもよい。
【００２１】
このようなハンドリングユニット４０において、冬季など室内に暖かい空気を取り込む場合、ダンパーモータ４９ａはダンパー４９を駆動させて排気口４３を閉塞状態とし室内口４６を開放状態とする。これにより、太陽熱集熱部１０により温められた空気は、吸気口４２及び室内口４６を通じて室内に供給される（矢印ＡＲ１，ＡＲ２参照）。一方、夏季などのように暖房の必要が無い季節では太陽熱集熱部１０にて暖められた空気は全て外部に放出して捨てる。このため、ダンパーモータ４９ａはダンパー４９を駆動させて排気口４３を開放状態とし室内口４６を閉塞状態とする。これにより、太陽熱集熱部１０により温められた空気は、吸気口４２及び排気口４３を通じて外部に排出される（矢印ＡＲ１，ＡＲ３参照）。
【００２２】
ここで、上記のハンドリングユニット４０では、ファンモータ４５等のメンテナンスを行う必要がある。しかし、従来のハンドリングユニットでは、ファンを横方向に引き抜かなければならず、作業スペースを確保するためにハンドリングユニットの２倍以上などのスペースを確保した状態でハンドリングユニットを建築材で覆う必要がある。このため、ハンドリングユニットを屋根の上に設置する場合には、比較的大きな建築材が屋根上に突出することとなり、外観上好ましいとはいえなかった。一方、外観上の問題から確保するスペースを狭くしてしまうとメンテナンスの作業性が悪化してしまう。
【００２３】
そこで、本実施形態に係るハンドリングユニット４０は、ファン４４等を下方向に引き抜き可能に構成している。図４及び図５は、本実施形態に係るハンドリングユニット４０のファン４４の周辺構成図であり、図４は、ファン４４等を下方向に引き出した状態を示し、図５は、斜視図を示している。
【００２４】
図４及び図５に示すように、本実施形態に係るハンドリングユニット４０は、その中央部にファン４４と、ファンモータ４５と、底壁部Ｙａと、内壁部Ｙｂと、側壁部Ｙｃとを一体化したユニットＹを有している。
【００２５】
ユニットＹの底壁部Ｙａは筐体４１の下面壁４１ａと兼用されるものであり、この底壁部Ｙａに内壁部Ｙｂが立設されている。また、内壁部Ｙｂは、その上方位置に開口Ｙｂ１を有している。この開口Ｙｂ１には、ファン４４の吹き出し口が一致した状態で取り付けられている。
【００２６】
また、側壁部Ｙｃは、底壁部Ｙａ及び内壁部Ｙｂに取り付けられており、側壁部Ｙｃには、ファン４４を駆動するファンモータ４５の軸部が貫通した状態で取り付けられている。なお、本実施形態において側壁部Ｙｃは、底壁部Ｙａ及び内壁部Ｙｂの双方に取り付けられているが、これに限らず、底壁部Ｙａ及び内壁部Ｙｂの少なくとも一方に取り付けられていればよい。
【００２７】
このように、本実施形態に係るハンドリングユニット４０は、ファン４４、ファンモータ４５、底壁部Ｙａ、内壁部Ｙｂ、及び側壁部Ｙｃを一体化したユニットＹを備えており、ユニットＹの底壁部Ｙａはハンドリングユニット４０の下面壁４１ａと兼用であるため、ユニットＹを下側に向けて引き抜くことが可能となる。これにより、ファン４４を横方向に引き抜く必要が無くなり、作業スペースを確保するためにハンドリングユニット４０の２倍以上などのスペースを有した状態でハンドリングユニット４０を建築材で覆う必要が無くなる。よって、比較的大きな建築材が屋根上に突出することを防止することができ、外観の極端な悪化を防止することができる。また、ユニットＹを下側に向けて引き抜くことにより、下側に作業スペースを設ければよく作業スペースが狭くなりメンテナンスの作業性が悪化してしまうことを抑制することができる。
【００２８】
さらに、本実施形態においてユニットＹの側壁部Ｙｃは、筐体１０の側壁と兼用とされており、ファンモータ４５は筐体１０外に露出している。詳細に本実施形態に係るハンドリングユニット４０では、下方向への引き抜き時にファンモータ４５が邪魔とならないように、筐体４１の側方に切り欠き部４１ｂが形成されており、この切り欠き部４１ｂに側壁部Ｙｂが嵌るようになっている。このため、太陽光集熱部１０により温められた空気が直接ファンモータ４５に接することがなく、且つ外部空気によりファンモータ４５を冷却に寄与することができる構成となっている。
【００２９】
なお、図示を省略するが、上記構成においてユニットＹは、その周縁部が筐体４１に対してシールされる構造となっており、暖かい空気が漏れ出すことを防止する構造となっている。また、ユニットＹは、メンテナンス時のみに下方に引き抜けるようにするために、通常時は筐体４１側に固定される構造であることはいうまでもない。
【００３０】
次に、本実施形態に係るハンドリングユニット４０のメンテナンス方法を説明する。本実施形態に係るハンドリングユニット４０は屋根の上に設置されている。このため、まず作業者は屋根裏部屋の天井側に位置するメンテナンス用の扉を開けることとなる。なお、メンテナンス用の扉は、予めハンドリングユニット４０の設置と同時に作製しておくものである。
【００３１】
次いで、作業者は、扉開放部から上記ユニットＹを下方に引き出す。このとき、作業者は、ユニットＹを例えば屋根裏部屋まで引き出すこととなる。そして、屋根裏部屋にてファン４４やファンモータ４５のメンテナンスを行うこととなる。このように、本実施形態に係るハンドリングユニット４０では、メンテナンス作業は例えば屋根裏部屋にて行うことができることから、作業スペースの制約を受けることがない。なお、この際に作業者はメンテナンス用の扉から筐体４１内に手を入れて作業することにより、ダンパー４９やダンパーモータ４９ａのメンテナンスを行ってもよいし、熱交換コイルのメンテナンスを行ってもよい。
【００３２】
このようにして、本実施形態に係るハンドリングユニット４０によれば、筐体４１の仮面壁４０ａと兼用される底壁部Ｙａと、底壁部Ｙａに立設され一部に開口Ｙｂ１を有した内壁部Ｙｂと、底壁部Ｙａ及び内壁部Ｙｂの少なくとも一方に取り付けられた側壁部Ｙｃとを有し、これらに対してファン４４及びファンモータ４５が取り付けられているため、これらのユニットＹを底壁部Ｙａから下側に向けて引き抜くことが可能となる。これにより、ファン４４を横方向に引き抜く必要が無くなり、作業スペースを確保するためにハンドリングユニット４０の２倍以上などのスペースを有した状態でハンドリングユニット４０を建築材で覆う必要が無くなる。よって、比較的大きな建築材が屋根上に突出することを防止することができ、外観の極端な悪化を防止することができる。また、ユニットＹを底壁部Ｙａから下側に向けて引き抜くことにより、下側に作業スペースを設ければよく作業スペースが狭くなりメンテナンスの作業性が悪化してしまうことを抑制することができる。従って、外観及びメンテナンスの作業性の悪化を抑制することができる。
【００３３】
また、側壁部Ｙｃは筐体４１の側壁と兼用され、ファンモータ４５は筐体４１外に露出しているため、太陽光集熱部１０により温められた空気が直接ファンモータ４５に接することがなく、且つ外部空気によりファンモータ４５の冷却に寄与することができる。
【００３４】
さらに、ハンドリングユニット４０の筐体４１は、扁平な箱型に形成されているため、屋根の上に設置するにあたり屋根上に突出する建築材の高さを低くすることができ、一層外観の悪化を防止することができる。
【００３５】
以上、実施形態に基づき本発明を説明したが、本発明は上記実施形態に限られるものではなく、本発明の趣旨を逸脱しない範囲で、変更を加えてもよい。
【００３６】
例えば本実施形態においてダンパー４９は排気口４３側のみに取り付けられているが、吸気口４２側にダンパー４９を備えていても良い。これにより、太陽熱集熱部１０により暖められた空気のみならず室内の空気をハンドリングユニット４０に取り込むことができるからである。すなわち、室内の空気を取り込んで排気口４３から排気したり、室内の空気を取り込んで室内口４６から再度室内に供給して空気の循環を行ったりすることができるからである。
【００３７】
また、本実施形態においてハンドリングユニット４０の吸気口４２及び排気口４３は、筐体４１の端面に形成されているが、例えば下面壁１０ａなどに形成されていてもよい。また、室内口４６が筐体４１の端面に形成されていてもよい。
【符号の説明】
【００３８】
１…ソーラーシステムハウス
１０…太陽熱集熱部
２０…集熱用ダクト
３０…棟ダクト
４０…ハンドリングユニット
４１…筐体
４１ａ…下面壁
４２…吸気口
４３…排気口
４４…ファン
４５…ファンモータ
４６…室内口
４７…ダクト取付用金具
４８…熱交換コイル
４８ａ…熱媒導入管
４８ｂ…熱媒排出管
４９…ダンパー
４９ａ…モータ
Ｙ…ユニット
Ｙａ…底壁部
Ｙｂ…内壁部
Ｙｂ１…開口
Ｙｃ…側壁部
【図１】
2014238228.tif 000003
【図２】
2014238228.tif 000004
【図３】
2014238228.tif 000005
【図４】
2014238228.tif 000006
【図５】
2014238228.tif 000007